(57)【要約】【課題】開封開始部に直交する側面に接着部が位置する紙箱を、大きな力を要することなく開封でき、開封後の美観が維持され、包装強度も確保されるようにする。【解決手段】身箱部分１と蓋部分２とから成り、身箱部分１の側板１３に蓋部分２の側板２３が重なり合って接着部３０で接着され、接着部３０とは反対側に位置する開封開始部２４から引っ張って、蓋部分２を身箱部分１に対し回転させ、接着部３０を剥がすことにより、身箱部分１から蓋部分２を開ける紙箱において、身箱部分１の側板１３には、接着部３０を部分的に囲む破止線１５が入れられ、蓋部分２の側板２３には、身箱部分１の破止線１５の反対側で接着部３０を部分的に囲むように破止線２５が入れられており、破止線１５，２５のうち内側の一方は、用紙の厚さ方向に貫通し、外側の他方は、用紙の裏面から厚さ方向の途中まで切り込まれているものとする。【選択図】図２
2019034787.tif 000002
【特許請求の範囲】
【請求項１】
身箱部分(1)と蓋部分(2)とから成り、前記身箱部分(1)及び蓋部分(2)は、それぞれ底壁(11)及び天壁(21)に直交する側板(13,23)を備え、前記身箱部分(1)の側板(13)と前記蓋部分(2)の側板(23)とが重なり合って接着部(30)で接着され、
前記蓋部分(2)の前記接着部(30)とは反対側に位置する開封開始部(24)からの引っ張りに伴い、前記蓋部分(2)を身箱部分(1)に対し回転させ、前記接着部(30)を剥がすことにより、前記身箱部分(1)から蓋部分(2)を開ける紙箱において、
前記身箱部分(1)の側板(13)には、前記接着部(30)を部分的に囲む破止線(15)が入れられ、前記蓋部分(2)の側板(23)には、前記身箱部分(1)の破止線(15)の反対側で前記接着部(30)を部分的に囲む破止線(25)が入れられており、
前記身箱部分(1)の側板(13)の破止線(15)と前記蓋部分(2)の側板(23)の破止線(25)のうち、内側に位置する一方は、用紙の厚さ方向に貫通するように切り込まれ、外側に位置する他方は、用紙の厚さ方向に貫通することなく、用紙の裏面から厚さ方向の途中まで切り込まれていることを特徴とする開封時の破止機能付き紙箱。
【請求項２】
前記身箱部分(1)及び蓋部分(2)の側板(13,23)に入れられた破止線(15,25)のうち、少なくともいずれか一方は、前記接着部(30)の周囲の５０％以下を囲むものであることを特徴とする請求項１に記載の開封時の破止機能付き紙箱。
【請求項３】
前記破止線(15,25)のうち、前記接着部(30)の周囲の５０％以下を囲むものは、前記接着部(30)の周囲の１／３以上を囲むものであることを特徴とする請求項２に記載の開封時の破止機能付き紙箱。
【請求項４】
第１壁(13)と、
前記第１壁(13)の少なくとも一部と重なり合い、前記第１壁(13)に対して接着部(30)で接着される第２壁(23)と、
前記第２壁(23)の第１辺(31)に連設され、第２壁(23)に直交する第３壁(22)とを備え、
前記第３壁(22)に位置し、又は、前記第１壁(13)及び前記第２壁(23)と直交し前記第３壁(22)に連なる周壁に位置する分離開始部(24)からの引っ張りに伴い、前記第３壁(22)を第１壁(13)に対し、前記第２壁(23)の第１辺(31)と直交する第３壁(22)の第２辺(32)を軸に回転させ、前記接着部(30)を剥がすことにより、前記第１壁(13)と前記第２壁(23)を分離する紙製品の機構において、
前記第１壁(13)には、前記接着部(30)を部分的に囲む破止線(15)が入れられ、前記第２壁(23)には、前記第１壁(13)の破止線(15)の反対側で前記接着部(30)を部分的に囲む破止線(25)が入れられており、
前記第１壁(13)の破止線(15)と前記第２壁(23)の破止線(25)のうち、内側に位置する一方は、用紙の厚さ方向に貫通するように切り込まれ、外側に位置する他方は、用紙の厚さ方向に貫通することなく、用紙の裏面から厚さ方向の途中まで切り込まれていることを特徴とする紙製品の破止機構。
【発明の詳細な説明】
【技術分野】
【０００１】
この発明は、開封に際し、接着部から用紙の表層の破れが拡大しないように対策を施した紙箱及び紙製品の破止機構に関するものである。
【背景技術】
【０００２】
本出願人は、下記特許文献１において、包装展示兼用の紙箱として、図１７に示すようなものを提案している。
【０００３】
この紙箱は、身箱部分５１と蓋部分５２とから成り、身箱部分５１は、底壁６１、前受板６２、後壁６３、各一対の側板６４，６５を有し、前受板６２に切目線を入れて切取部６６を設けた構成とされ、蓋部分５２は、天壁７１、前面板７２、一対の側板７３，７４を有する構成とされている。
【０００４】
身箱部分５１の後壁６３の上端と、蓋部分５２の天壁７１の後端とは、包装状態では、ミシン目状の破断線５３を介して繋がっており、天壁７１の後端側には、後壁６３の上部に入れられた切目線により、舌片状の開封開始部７６が設けられている。
【０００５】
身箱部分５１と蓋部分５２とは、前受板６２の切取部６６の領域内の接着部５４で接着されると共に、側板６４のニスを塗布した部分（図中の斜線を付した部分）と側板７３が接着部５５で接着されて、封緘状態とされている。
【０００６】
このような紙箱を開封して展示状態とする際には、蓋部分５２を開封開始部７６から引っ張って、破断線５３の破断に伴い、蓋部分５２を身箱部分５１に対し回転させ、切取部６６を前面板７２に貼り付いた状態で前受板６２から切り取って、ニスで接着力が弱められた接着部５５を剥がすことにより、身箱部分５１から蓋部分５２を開けて除去する。
【０００７】
ところが、ニスで接着部５５の接着力を適度に調整することは難しく、接着力が十分に弱められていない場合には、開封に伴い接着部５５から用紙の表層が破れて、蓋部分５２の回転時の抵抗が大きくなったり、開封後の美観が損なわれたりすることがあり、接着力が弱すぎる場合には、身箱部分５１と蓋部分５２の固定が不十分になることがある。
【０００８】
また、本出願人は、下記特許文献２において、図１８に示すように、段ボール製の紙箱の開封に伴う表層の破れを防止する技術を提案している。
【０００９】
この紙箱は、周壁８０の開口縁の短辺から内フラップ８１が、長辺から外フラップ８２がそれぞれ延出され、内フラップ８１に外フラップ８２を折り重ね、接着部８３で接着して封緘する形式のものであり、内フラップ８１には、接着部８３よりも外側に、段ボールを貫通する破止線８４が入れられ、外フラップ８２には、接着部８３よりも根元側に、段ボールの裏面側のライナのみを切断した破止線８５が入れられたものとなっている。
【００１０】
この紙箱を開封する際には、外フラップ８２の先端縁の中間部に臨む部分を開封開始部８６として、その部分を押して撓ませ、生じた隙間に手を掛けて引っ張り、接着部８３を剥がして、外フラップ８２を内フラップ８１から起こすように分離する。
【００１１】
このとき、内フラップ８１と外フラップ８２の段ボールのライナが接着部８３から破れ始めても、この破れの進行は破止線８４，８５で阻止されるので、破れたライナで内フラップ８１と外フラップ８２とが繋がって見た目が汚くなることはない。
【先行技術文献】
【特許文献】
【００１２】
【特許文献１】特開２０１５−１０７８３１号公報
【特許文献２】特開２００２−３０２１１９号公報
【発明の概要】
【発明が解決しようとする課題】
【００１３】
上記のことから、図１７に示すような紙箱において、開封時に用紙の表層の破れが拡大する現象を阻止するため、図１８に示すような破止構造を適用することが考えられる。
【００１４】
しかしながら、図１８に示す破止構造は、封緘状態で開封開始部８６と接着部８３とが同一面上に位置する紙箱に適用されるものであり、図１７に示すように、開封開始部７６に対し接着部５５が直交する側面に位置して、開封時に身箱部分５１に対し蓋部分５２を回転させる形式の紙箱にそのまま適用することはできない。
【００１５】
そこで、この発明は、開封開始部に直交する側面に接着部が位置する紙箱を、大きな力を要することなく開封でき、開封後の美観が維持され、包装強度も確保されるようにすることを課題とする。
【課題を解決するための手段】
【００１６】
上記課題を解決するため、この発明は、身箱部分と蓋部分とから成り、前記身箱部分及び蓋部分は、それぞれ底壁及び天壁に直交する側板を備え、前記身箱部分の側板と前記蓋部分の側板とが重なり合って接着部で接着され、
前記蓋部分の前記接着部とは反対側に位置する開封開始部からの引っ張りに伴い、前記蓋部分を身箱部分に対し回転させ、前記接着部を剥がすことにより、前記身箱部分から蓋部分を開ける紙箱において、
前記身箱部分の側板には、前記接着部を部分的に囲むように破止線が入れられ、前記蓋部分の側板には、前記身箱部分の破止線の反対側で前記接着部を部分的に囲むように破止線が入れられており、
前記身箱部分の側板の破止線と前記蓋部分の側板の破止線のうち、内側に位置する一方は、用紙の厚さ方向に貫通するように切り込まれ、外側に位置する他方は、用紙の厚さ方向に貫通することなく、用紙の裏面から厚さ方向の途中まで切り込まれているものとしたのである。
【００１７】
また、前記身箱部分及び蓋部分の側板に入れられた破止線のうち、少なくともいずれか一方は、前記接着部の周囲の５０％以下を囲むものとし、包装状態での不意の落下等に伴い、接着部の周囲全周にわたって破止線が破断しないようにしたのである。
【００１８】
さらに、前記破止線のうち、前記接着部の周囲の５０％以下を囲むものは、前記接着部の周囲の１／３以上を囲むものとし、開封に伴う用紙の表層の破止機能が発揮されなくなることを防止するようにしたのである。
【００１９】
また、上記のような破止機能を実現する機構を応用し、紙箱とこれに接着された広告パネルの分離時や、複数個の紙箱とその連結部材の分離時等のために適用される汎用的な破止機構として、第１壁と、
前記第１壁の少なくとも一部と重なり合い、前記第１壁に対して接着部で接着される第２壁と、
前記第２壁の第１辺に連設され、第２壁に直交する第３壁とを備え、
前記第３壁に位置し、又は、前記第１壁及び前記第２壁と直交し前記第３壁に連なる周壁に位置する分離開始部からの引っ張りに伴い、前記第３壁を第１壁に対し、前記第２壁の第１辺と直交する第３壁の第２辺を軸に回転させ、前記接着部を剥がすことにより、前記第１壁と前記第２壁を分離する紙製品の機構において、
前記第１壁には、前記接着部を部分的に囲む破止線が入れられ、前記第２壁には、前記第１壁の破止線の反対側で前記接着部の分離開始部側を部分的に囲む破止線が入れられており、
前記第１壁の破止線と前記第２壁の破止線のうち、内側に位置する一方は、用紙の厚さ方向に貫通するように切り込まれ、外側に位置する他方は、用紙の厚さ方向に貫通することなく、用紙の裏面から厚さ方向の途中まで切り込まれているものを提供することとしたのである。
【発明の効果】
【００２０】
この発明に係る紙箱は、開封開始部からの引っ張りに伴い、蓋部分を身箱部分に対し回転させると、身箱部分の側板と蓋部分の側板の接着部に捩じり力が作用して、側板のいずれかの接着部で用紙の表層が剥れるように破れ始めるが、接着部を囲む破止線のいずれかにより、破れの拡大が阻止され、開封に必要な力が低減される。
【００２１】
また、用紙の表層が破れる範囲が制限されるので、開封後の美観に優れたものとなり、身箱部分を展示箱として活用することもできる。
【００２２】
また、破止線が接着部の全周を囲むことなく、破れの進行方向に限定して部分的に入れられているので、包装状態での落下等に伴い、破止線が破断しても、身箱部分と蓋部分の固定状態が保持され、包装強度が確保される。
【００２３】
また、外側の側板の破止線は、用紙の裏面から厚さ方向の途中まで切り込んで入れられているので、包装状態で外面に現れることがなく、包装状態での美観が低下しない。
【００２４】
さらに、内側の側板の破止線は、用紙を厚さ方向に貫通するように切り込んで入れられているので、製造時に身箱部分と蓋部分の破止線を入れる加工を、用紙である段ボールの裏面側からの通常の打抜加工により行うことができる。
【図面の簡単な説明】
【００２５】
【図１】この発明の第１実施形態に係る開封時の破止機能付き紙箱の包装状態を示す斜視図
【図２】同上の開封状態を示す斜視図
【図３】同上のブランクの裏面を示す図
【図４】同上の接着部付近の拡大図
【図５】同上の破止線の範囲が異なる接着部付近の拡大図
【図６】同上の破止線の他形状を示す接着部付近の拡大図
【図７】同上の破止線の他形状を示す接着部付近の拡大図
【図８】この発明の第２実施形態に係る開封時の破止機能付き紙箱の包装状態を示す斜視図
【図９】同上の開封状態を示す斜視図
【図１０】同上のブランクの裏面を示す図
【図１１】この発明の第３実施形態に係る開封時の破止機能付き紙箱の包装状態を示す斜視図
【図１２】同上の開封状態を示す斜視図
【図１３】同上のブランクの裏面を示す図
【図１４】この発明の第４実施形態に係る開封時の破止機能付き紙箱の包装状態を示す斜視図
【図１５】同上の開封状態を示す斜視図
【図１６】同上のブランクの裏面を示す図
【図１７】特許文献１に記載の紙箱の開封過程を示す斜視図
【図１８】特許文献２に記載の紙箱の開封状態を示す斜視図
【発明を実施するための形態】
【００２６】
以下、この発明の実施形態を添付図面に基づいて説明する。
【００２７】
第１実施形態に係る紙箱は、図１に包装状態で示すように、身箱部分１と、その上部を覆う一対の蓋部分２とから成り、図２に示すように、開封する際には、蓋部分２を身箱部分１に対し回転させて開けるものとされている。
【００２８】
この紙箱の段ボールのブランクでは、図３に示すように、底壁１１の両側に、それぞれ側壁１２及び組立時に突き合わされて天壁２１を構成する揺動板２２が順次連設され、側壁１２の両端には側板１３が、底壁１１の両端には側板１４が、揺動板２２の両端には側板２３がそれぞれ連設されている。
【００２９】
このブランクにおいて、底壁１１、一対の側壁１２及び各一対の側板１３，１４が身箱部分１を構成し、揺動板２２及び一対の側板２３が蓋部分２を構成する。
【００３０】
揺動板２２の幅は、底壁１１の幅の約１／２とされ、側板１４，２３の高さは、組立状態での側壁１２の高さの約１／２とされている。
【００３１】
一対の揺動板２２の先端縁中央部は、特に加工することなく、開封時に手を掛ける開封開始部２４とされている。開封開始部２４は、最初から開口した手掛穴としてもよく、切目線間の押込に伴い開口する手掛穴としてもよい。
【００３２】
身箱部分１の側板１３の表面と、蓋部分２の側板２３の裏面には、組立時に貼り合わされる接着部３０が設定されている。
【００３３】
また、側板２３の基部稜線は、開封時の破止機構の方向定義上の第１辺３１とされ、揺動板２２の基部稜線は、開封時の破止機構の方向定義上の第２辺３２とされている。
【００３４】
そして、身箱部分１の側板１３には、接着部３０の開封開始部２４から離れる反対側を部分的に囲むように破止線１５が入れられ、蓋部分２の側板２３には、接着部３０の開封開始部２４側を部分的に囲むように破止線２５が入れられている。
【００３５】
身箱部分１の側板１３の破止線１５は、段ボールの厚さ方向に貫通するように切り込まれた全切線とされ、蓋部分２の側板２３の破止線２５は、段ボールの厚さ方向に貫通することなく、裏面から段ボールの厚さ方向の途中まで切り込まれた半切線とされている。
【００３６】
ここで、破止線１５，２５は、図４に示すように、破止線１５，２５の両方又はいずれか一方を、接着部３０の周囲の５０％程度又はそれ以下を囲むものとする。
【００３７】
また、図５に示すように、接着部３０の周囲の５０％以下を囲む破止線１５，２５は、接着部３０の周囲の１／３以上を囲むものとする。
【００３８】
また、破止線１５，２５は、上記実施形態においては、直線部分が屈折した折線状としているが、基本的に円弧状とすればよい。さらに、図６に示すように、稜線に対して傾斜した直線部の両端に短い弧状部が連なる形状や、図７に示すように、垂直及び水平方向の直線部が中間の弧状部を介して連なる形状としてもよい。
【００３９】
上記のようなブランクを組み立てて物品を包装するには、図１に示すように、底壁１１の両側から一対の側壁１２を起立させ、対向する側壁１２から側板１３を内方向へ折り曲げ、底壁１１の両端から側板１４を起立させ、側板１３の外面に側板１４をホットメルト接着剤により接着して、身箱部分１を形成する。
【００４０】
次に、身箱部分１に物品を収納した後、対向する側壁１２の上端から一対の揺動板２２を突き合わせるように折り曲げて天壁２１を形成し、揺動板２２から側板２３を下方へ折り曲げ、身箱部分１の側板１３の外面に蓋部分２の側板２３をホットメルト接着剤により接着部３０で接着して、封緘状態とする。
【００４１】
一方、このような封緘状態から開封する際には、蓋部分２の天壁２１において、揺動板２２の開封開始部２４を押し下げて、対向する揺動板２２の間に隙間を生じさせ、その隙間に手を掛けて揺動板２２を上方へ引っ張ることにより、図２に示すように、蓋部分２を身箱部分１に対し回転させ、接着部３０を剥がし、身箱部分１に対し蓋部分２を開ける。
【００４２】
上記のような紙箱は、開封に際し、身箱部分１と蓋部分２の側板１３，２３の接着部３０に捩じり力が作用して、側板１３，２３のいずれかの接着部３０で段ボールの表層のライナが剥れるように破れ始めるが、破止線１５又は破止線２５により、破れの拡大が阻止されるので、開封に必要な力が低減される。
【００４３】
また、段ボールの表層のライナが破れる範囲が制限されるので、開封後の美観に優れたものとなり、蓋部分２を身箱部分１からカッターナイフ等の切断手段で切り離し、身箱部分１を展示箱として活用することもできる。
【００４４】
また、破止線１５，２５が接着部３０の全周を囲むことなく、破れの進行方向に限定して部分的に入れられているので、包装状態での落下等に伴い、破止線１５，２５が破断しても、身箱部分１と蓋部分２の固定状態が保持され、包装強度が確保される。
【００４５】
また、蓋部分２の側板２３の破止線２５は、段ボールの裏面から厚さ方向の途中まで切り込んで入れられているので、包装状態で外面のライナに現れることがなく、包装状態での美観が低下しない。
【００４６】
さらに、身箱部分１の側板１３の破止線１５は、段ボールを厚さ方向に貫通するように切り込んで入れることとしているので、製造時に身箱部分１と蓋部分２の破止線１５，２５を入れる加工を、段ボールの裏面側からの通常の打抜加工により行うことができ、別途加工のコストを要することがない。
【００４７】
なお、上記実施形態では、身箱部分１に対向する側壁１２から延びる一対の蓋部分２を設けたものを例示したが、一方の側壁１２から延びる１つの蓋部分２で身箱部分１の上部全体が覆われるようにしてもよい。
【００４８】
また、身箱部分１と蓋部分２が通常の押罫線を介して連なったものを例示したが、包装展示兼用箱として利用する場合には、身箱部分１と蓋部分２の境界をミシン目状の切目線を入れておき、展示時に切目線を切断することにより、身箱部分１と蓋部分２とを分割できるようにしておくとよい。
【００４９】
具体的には、図８〜図１０に示す第２実施形態、図１１〜図１３に示す第３実施形態、又は、図１４〜図１６に示す第４実施形態のようなものとしてもよい。
【００５０】
第２実施形態に係る紙箱は、図８に包装状態で示すように、飲料容器等の商品を巻き込むように包装するラップラウンド式の段ボール箱であり、図９に示すように、身箱部分１に対し蓋部分２を背面から回転させて開封するものとされている。
【００５１】
この段ボール箱のブランクでは、図１０に示すように、天壁２１、側壁１２、底壁１１及び揺動板２２が順次連設され、天壁２１の開放端側に継代２６が連設されている。天壁２１、側壁１２、底壁１１及び揺動板２２は、これらを角筒状とした組立状態において、それぞれ天面、背面、底面及び正面となる。天壁２１の中間部には、検品及び冷気導入用の窓２１ａが設けられている。
【００５２】
天壁２１及び底壁１１の両側には、それぞれ側板２７，１３が連設され、側壁１２及び揺動板２２の両側には、それぞれ側板１４，２３が連設されている。
【００５３】
底壁１１、側壁１２及び側板１３，１４は、組立時に身箱部分１を構成し、天壁２１、揺動板２２及び側板２３，２７並びに継代２６は、組立時に蓋部分２を構成する。
【００５４】
側板１４，２３の根元から先端までの長さは、組立状態で側面の中間部に開口部が生じるように、底壁１１及び天壁２１の幅寸法の１／２よりも短くなっている。
【００５５】
また、側板２７の端縁中間部には、組立状態で運搬する際に手を掛けると折り曲げられて、段ボールの端縁に指が当たらないようにするための把持片２７ａが設けられている。
【００５６】
そのほか、組立時に側板１４と重なる側板２７の下端縁は、背面側へかけて上方へ斜めに切断された傾斜縁２７ｂとされている。
【００５７】
このブランクにおいて、組立時にホットメルト接着剤で接着するための接着部が複数箇所設定され、側板１３の裏面の前側寄り及び側板２３の表面の下部には、身箱部分１と蓋部分２の側面を接着するための接着部３０が設定されている。
【００５８】
また、側板１３の裏面の背側寄り及び側板１４の表面の下部には、身箱部分１の側面形成のための接着部３３が設定され、側板２７の裏面の前側寄り及び側板２３の表面の上部寄りには、蓋部分２の側面形成のための接着部３４が設定されている。
【００５９】
そして、天壁２１と側壁１２の境界の中央部付近には、側壁１２へかけて切目が入れられ、逆台形状の開封開始部２４が設けられている。開封開始部２４の両側には、天壁２１と側壁１２の境界に沿って、側板１４，２７間の溝底部に達する破断線２４ａが入れられている。破断線２４ａは、鉤状の切目が断続するジッパー型とされている。
【００６０】
また、天壁２１には、開封開始部２４の両側の破断線２４ａの外端部付近から引張方向へ向かって斜め内側に延びる開封補助線２４ｂが入れられている。開封補助線２４ｂは、段ボールを裏面側から押圧した押罫とされている。
【００６１】
身箱部分１の側板１３には、組立時に接着部３０の開封開始部２４から離れる反対側を部分的に囲むように破止線１５が入れられ、蓋部分２の側板２３には、組立時に接着部３０の開封開始部２４側を部分的に囲むように破止線２５が入れられている。
【００６２】
身箱部分１の側板１３の破止線１５は、段ボールの厚さ方向に貫通することなく、裏面から段ボールの厚さ方向の途中まで切り込まれた半切線とされ、蓋部分２の側板２３の破止線２５は、段ボールの厚さ方向に貫通するように切り込まれた全切線とされている。
【００６３】
ここで、破止線１５，２５は、その両方又はいずれか一方が接着部３０の周囲の５０％程度又はそれ以下を囲むものとする。また、接着部３０の周囲の５０％以下を囲む破止線１５，２５は、接着部３０の周囲の１／３以上を囲むものとする。
【００６４】
そして、揺動板２２と側板２３の境界の罫線は、開封時の破止機構の方向定義上の第１辺３１とされている。また、底壁１１と揺動板２２の境界の罫線は、開封時の破止機構の方向定義上の第２辺であると同時に、開封時に身箱部分１から蓋部分２を切り離すため、切目が断続するミシン目状の破断線３２とされている。
【００６５】
上記のようなブランクを組み立てて商品を包装する際には、図８に示すように、天壁２１、側壁１２、底壁１１及び揺動板２２を角筒状に折り曲げて商品を巻き込み、継代２６を下方へ折り曲げて揺動板２２の上部に接着する。これにより、商品は締め付けられるように保持される。
【００６６】
次に、側板１４，２３を側面へ折り曲げ、その外側に重なるように側板１３，２７を側面へ折り曲げて、側板１４と側板１３とを接着部３３で接着すると当時に、側板２３と側板１３とを接着部３０で接着し、側板２３と側板２７とを接着部３４で接着する。
【００６７】
この包装状態では、側板２７の下端縁が傾斜縁２７ｂとされているので、側面の背側上部で側板２７が側板１４に接着されていなくても、側板２７の側板１４からの浮き上がりや捲れ上がりが防止され、美観が維持される。
【００６８】
一方、店頭で商品を展示するため開封する際には、図９に示すように、開封開始部２４を押し込んで指を入れ、天壁２１の後部を引き上げるように手前に引っ張って、天壁２１と側壁１２の境界の破断線２４ａを破断させ、底壁１１と揺動板２２の境界の破断線３２を軸に、身箱部分１に対して蓋部分２を回転させる。
【００６９】
そして、底壁１１と揺動板２２の境界の破断線３２を破断させて、蓋部分２を身箱部分１から切り離すと、天面及び側面前部が開口すると共に、正面が下端まで開口して商品が露出した展示状態となる。
【００７０】
このとき、側板２７と側板１４とが接着されていないので、破断線２４ａを容易に破断させて、破断線３２を軸に蓋部分２を回転させることができ、側板２７の下端縁を傾斜縁２７ｂとしたことにより、側板２７と側板１４の摩擦が軽減される。
【００７１】
また、天壁２１の後部が開封開始部２４からの引き上げに伴い、開封補助線２４ｂに沿って盛り上がるように撓むので、破断線２４ａを容易に破断させることができる。
【００７２】
そして、この開封に際し、上記第１実施形態の場合と同様、身箱部分１と蓋部分２の側板１３，２３の接着部３０に捩じり力が作用して、側板１３，２３のいずれかの接着部３０で段ボールの表層のライナが剥れるように破れ始めるが、破止線１５又は破止線２５により、破れの拡大が阻止される。
【００７３】
このため、開封に必要な力が低減されるほか、段ボールの表層のライナが破れる範囲が制限されるので、展示状態で美観に優れたものとなる。
【００７４】
また、破止線１５，２５が接着部３０の全周を囲むことなく、破れの進行方向に限定して部分的に入れられているので、包装状態での落下等に伴い、破止線１５，２５が破断しても、身箱部分１と蓋部分２の固定状態が保持され、包装強度が確保される。
【００７５】
また、外側に重なる身箱部分１の側板１３の破止線１５は、段ボールの裏面から厚さ方向の途中まで切り込んで入れられているので、包装状態で外面のライナに現れることがなく、包装状態での美観が低下しない。
【００７６】
さらに、内側に重なる蓋部分２の側板２３の破止線２５は、段ボールを厚さ方向に貫通するように切り込んで入れることとしているので、製造時に身箱部分１と蓋部分２の破止線１５，２５を入れる加工を、段ボールの裏面側からの通常の打抜加工により行うことができ、別途加工のコストを要することがない。
【００７７】
次に、図１１〜図１３に示す第３実施形態に係る紙箱は、上記第２実施形態に係るものと基本構成が共通し、背面側から開封するラップラウンド式の段ボール箱であるため、ここでは、上記第２実施形態との相違点についてのみ言及する。
【００７８】
この段ボール箱では、図１１及び図１３において、それぞれ包装状態及びブランクで示すように、開封開始部２４が背面となる側壁１２の中間部に位置しており、開封開始部２４から両側へ延びる破断線２４ａが側壁１２を横切り、側面となる側板１４へ回り込んで側板１４の端縁に達している。
【００７９】
側壁１２及び側板１４の破断線２４ａより上方部分は、それぞれ蓋背部２８ａ及び蓋側部２８ｂとされ、蓋側部２８ｂの上部と側板２７とが接着部３５で接着されている。
【００８０】
そして、図１２に示すように、開封すると蓋背部２８ａ及び蓋側部２８ｂが蓋部分２の一部として身箱部分１から分離し、身箱部分１は、天面、正面及び側面前部が開口するだけでなく、後面及び側面後部も破断線２４ａより下方部分が残存するのみとなり、商品を全周方向からよく見えるように展示することができる。
【００８１】
このような段ボール箱においても、開封に際し、側面前下部の接着部３０を囲む破止線１５，２５により、破れの拡大が阻止され、開封に必要な力が低減されると共に、用紙の表層が破れる範囲が制限されるので、開封後の美観に優れたものとなる。
【００８２】
次に、図１４〜図１６に示す第４実施形態に係る紙箱は、包装状態での形状が上記第２及び第３実施形態のものと類似するラップラウンド式の段ボール箱であるが、正面側から開封するものとされている。
【００８３】
この段ボール箱では、図１４及び図１６において、それぞれ包装状態及びブランクで示すように、揺動板２２、側壁１２、底壁１１及び側壁２９が順次連設され、これらが角筒状に折り曲げられて、それぞれ天面、背面、底面及び正面となり、揺動板２２の開放端側に連設された継代２６が側壁２９の上部に接着されている。
【００８４】
また、揺動板２２、側壁１２、底壁１１及び側壁２９の両側に側板２３，１３，１４及び２７がそれぞれ連設され、包装状態では、側板１３，２７の外側に側板２３，１４が重ねられて、側板１３と側板２３，１４とがそれぞれ接着部３０，３３で接着され、側板２７と側板２３，１４とがそれぞれ接着部３４，３６で接着されている。
【００８５】
開封開始部２４は、正面となる側壁２９の中間部に位置し、開封開始部２４から両側へ延びる破断線２４ａが側壁２９を横切り、側面となる側板２７へ回り込んで、側板２７の端縁に達している。組立状態における側壁２９及び側板２７の破断線２４ａより下方部分は、それぞれ身箱前部１６ａ及び身箱側部１６ｂとされ、身箱側部１６ｂの下部に側板２７と側板１４の接着部３６が位置している。
【００８６】
側板１３には、組立時に接着部３０の開封開始部２４側を部分的に囲むように破止線１５が入れられ、蓋部分２の側板２３には、接着部３０の開封開始部２４から離れる反対側を部分的に囲むように破止線２５が入れられている。
【００８７】
身箱部分１の側板１３の破止線１５は、段ボールの厚さ方向に貫通するように切り込まれた全切線とされ、蓋部分２の側板２３の破止線２５は、段ボールの厚さ方向に貫通することなく、裏面から段ボールの厚さ方向の途中まで切り込まれた半切線とされている。接着部３０に対する破止線１５，２５の包囲範囲は、上記各実施形態と同様である。
【００８８】
そして、揺動板２２と側板２３の境界の罫線は、開封時の破止機構の方向定義上の第１辺３１とされている。また、側壁１２と揺動板２２の境界の罫線は、開封時の破止機構の方向定義上の第２辺であると同時に、開封時に身箱部分１から蓋部分２を切り離すため、切目が断続するミシン目状の破断線３２とされている。
【００８９】
また、側板２３の端縁中間部には、運搬時に手を掛けると折り曲げられて、段ボールの端縁に指が当たらないようにするための把持片２３ａが設けられている。
【００９０】
このような段ボール箱を開封して店頭で商品を展示する際には、図１５に示すように、開封開始部２４を押し込んで指を入れ、正面の側壁２９の破断線２４ａより上方部分を引き上げるように背側上方へ引っ張って、側壁２９から側面の側板２７の破断線２４ａを破断させ、天面の揺動板２２と背面の側壁１２の境界の破断線３２を軸に、身箱部分１に対して蓋部分２を回転させる。
【００９１】
そして、破断線３２を破断させて、蓋部分２を身箱部分１から切り離すと、身箱部分１は、身箱前部１６ａ及び身箱側部１６ｂが残存した状態で、天面から正面及び側面前部が開口し、商品を露出させて展示することができる。
【００９２】
このような段ボール箱においても、開封に際し、側面後上部の接着部３０を囲む破止線１５，２５により、破れの拡大が阻止され、開封に必要な力が低減されると共に、用紙の表層が破れる範囲が制限されるので、開封後の美観に優れたものとなる。
【００９３】
ところで、上記各実施形態では、身箱部分１と蓋部分２が連なった１ピースのものを例示したが、身箱部分１と蓋部分２が別体となった２ピースの形式としてもよい。
【００９４】
さらに、段ボール製のものを例示したが、板紙を用紙とする紙箱においても、同様の構成を採用することができる。
【００９５】
なお、上記のような破止機能を実現する機構は、紙箱とこれに接着された広告パネルの分離時や、複数個の紙箱とその連結部材の分離時等の破止機構として、紙製品一般に適用できる。この場合の破止機構は、身箱部分１と蓋部分２や方向の特定をすることなく、上記実施形態における側板１３を第１壁、側板２３を第２壁、揺動板２２を第３壁、開封開始部２４を分離開始部、側板２３の基部稜線を第１辺３１、揺動板２２の基部稜線を第２辺３２としたものとする。
【符号の説明】
【００９６】
１  身箱部分
２  蓋部分
１１  底壁
１２  側壁
１３  側板（第１壁）
１４  側板
１５  破止線
１６ａ  身箱前部
１６ｂ  身箱側部
２１  天壁
２１ａ  窓
２２  揺動板（第３壁）
２３  側板（第２壁）
２３ａ  把持片
２４  開封開始部（分離開始部）
２４ａ  破断線
２４ｂ  開封補助線
２５  破止線
２６  継代
２７  側板
２７ａ  把持片
２７ｂ  傾斜縁
２８ａ  蓋背部
２８ｂ  蓋側部
２９  側壁
３０  接着部
３１  第１辺
３２  破断線（第２辺）
３３，３４，３５，３６  接着部
【図１】
2019034787.tif 000003
【図２】
2019034787.tif 000004
【図３】
2019034787.tif 000005
【図４】
2019034787.tif 000006
【図５】
2019034787.tif 000007
【図６】
2019034787.tif 000008
【図７】
2019034787.tif 000009
【図８】
2019034787.tif 000010
【図９】
2019034787.tif 000011
【図１０】
2019034787.tif 000012
【図１１】
2019034787.tif 000013
【図１２】
2019034787.tif 000014
【図１３】
2019034787.tif 000015
【図１４】
2019034787.tif 000016
【図１５】
2019034787.tif 000017
【図１６】
2019034787.tif 000018
【図１７】
2019034787.tif 000019
【図１８】
2019034787.tif 000020